(57)【要約】【課題】偏波多重光伝送システムにおいては、偏波多重信号を受信して各偏波光信号に分離すると、これらの偏波光信号間に遅延差が生じるので、超高速光信号を再生するのは困難である。【解決手段】本発明の偏波多重光受信器は、入力信号を識別する識別子を備えた第１の偏波送信光と第２の偏波送信光が多重された偏波多重光を受信し、偏波多重光を分離した第１の偏波受信光と第２の偏波受信光を電気信号に変換し第１の受信信号と第２の受信信号を出力する光電変換部と、第１の受信信号と第２の受信信号についてシンボル識別を行い、第１の復調信号と第２の復調信号を出力する復調部と、第１の復調信号と第２の復調信号から識別子を検出する識別子検出部と、識別子に基づいて第１の復調信号と第２の復調信号との間の遅延差を算出し、遅延差に対応した遅延時間を第１の復調信号または第２の復調信号に挿入する遅延補償部とを備える。【選択図】      図１
2012010070.tif 000002
【特許請求の範囲】
【請求項１】
偏波多重光送信器と、偏波多重光受信器と、前記偏波多重光送信器と前記偏波多重光受信器を接続する光伝送路を有し、
前記偏波多重光送信器は、第１の入力信号と第２の入力信号に前記第１の入力信号と前記第２の入力信号を識別する識別子を付与する識別子付与部と、前記第１の入力信号によって第１の偏波光を変調して第１の偏波送信光を出力し、前記第２の入力信号によって第２の偏波光を変調して第２の偏波送信光を出力する変調器部と、前記第１の偏波送信光と前記第２の偏波送信光を多重して偏波多重光を光伝送路に送出する偏波多重部とを備え、
前記偏波多重光受信器は、光伝送路を介して受信した前記偏波多重光を第１の偏波受信光と第２の偏波受信光に分離する偏波分離部と、前記第１の偏波受信光と前記第２の偏波受信光を電気信号に変換し第１の受信信号と第２の受信信号を出力する光電変換部と、前記第１の受信信号と前記第２の受信信号についてシンボル識別を行い、第１の復調信号と第２の復調信号を出力する復調部と、前記第１の復調信号と前記第２の復調信号から前記識別子を検出する識別子検出部と、前記識別子に基づいて前記第１の復調信号と前記第２の復調信号との間の遅延差を算出し、前記遅延差に対応した遅延時間を前記第１の復調信号または前記第２の復調信号に挿入する遅延補償部とを備える
偏波多重光伝送システム。
【請求項２】
前記第１の偏波送信光と前記第２の偏波送信光、および前記第１の偏波受信光と前記第２の偏波受信光は、それぞれ互いに直交する
請求項１に記載した偏波多重光伝送システム。
【請求項３】
前記偏波多重光受信器は、前記識別子検出部が検出した前記識別子に基づいて、前記第１の復調信号および前記第２の復調信号を、前記第１の入力信号および前記第２の入力信号とそれぞれ対応させる信号変換部をさらに備える
請求項１または２に記載した偏波多重光伝送システム。
【請求項４】
入力信号を識別する識別子を備えた第１の入力信号と第２の入力信号によってそれぞれ変調された第１の偏波送信光と第２の偏波送信光が多重された偏波多重光を受信し、
前記偏波多重光を第１の偏波受信光と第２の偏波受信光に分離する偏波分離部と、前記第１の偏波受信光と前記第２の偏波受信光を電気信号に変換し第１の受信信号と第２の受信信号を出力する光電変換部と、前記第１の受信信号と前記第２の受信信号についてシンボル識別を行い、第１の復調信号と第２の復調信号を出力する復調部と、前記第１の復調信号と前記第２の復調信号から前記識別子を検出する識別子検出部と、前記識別子に基づいて前記第１の復調信号と前記第２の復調信号との間の遅延差を算出し、前記遅延差に対応した遅延時間を前記第１の復調信号または前記第２の復調信号に挿入する遅延補償部とを備える
偏波多重光受信器。
【請求項５】
前記識別子検出部が検出した前記識別子に基づいて、前記第１の復調信号および前記第２の復調信号を、前記第１の入力信号および前記第２の入力信号とそれぞれ対応させる信号変換部をさらに備える
請求項４に記載した偏波多重光受信器。
【請求項６】
前記光電変換部は、局部光源と、９０°ハイブリッド部と、受光素子部を有するコヒーレント光受光部を備える
請求項４または５に記載した偏波多重光受信器。
【請求項７】
第１の入力信号と第２の入力信号に前記第１の入力信号と前記第２の入力信号を識別する識別子を付与し、前記第１の入力信号によって第１の偏波光を変調して第１の偏波送信光とし、前記第２の入力信号によって第２の偏波光を変調して第２の偏波送信光とし、前記第１の偏波送信光と前記第２の偏波送信光を多重して偏波多重光とし、
前記偏波多重光を第１の偏波受信光と第２の偏波受信光に分離し、前記第１の偏波受信光と前記第２の偏波受信光を電気信号に変換して第１の受信信号と第２の受信信号とし、前記第１の受信信号と前記第２の受信信号についてシンボル識別を行い、第１の復調信号と第２の復調信号を作成し、前記第１の復調信号と前記第２の復調信号から前記識別子を検出し、前記識別子に基づいて前記第１の復調信号と前記第２の復調信号との間の遅延差を算出し、前記遅延差に対応した遅延時間を前記第１の復調信号または前記第２の復調信号に挿入する
偏波多重光伝送方法。
【請求項８】
前記第１の復調信号と前記第２の復調信号から検出した前記識別子に基づいて、前記第１の復調信号および前記第２の復調信号を、前記第１の入力信号および前記第２の入力信号とそれぞれ対応させる
請求項７に記載した偏波多重光伝送方法。
【発明の詳細な説明】
【技術分野】
【０００１】
本発明は、偏波多重光伝送システム、偏波多重光受信器、および偏波多重光伝送方法に関し、特に、高速な伝送速度に対応した偏波多重光伝送システム、偏波多重光受信器、および偏波多重光伝送方法に関する。
【背景技術】
【０００２】
近年における情報伝送の大容量化により、光伝送システムの高速化が求められており、現在、伝送速度が１００Gｂ／ｓである超高速光伝送システムの研究開発が進められている。伝送速度１００Gｂ／ｓの超高速光伝送システムにおいては、従来の光伝送システムにおける中継距離との互換性を保つために、ＳＮＲ（ＳＮ比：Ｓｉｇｎａｌ  ｔｏ  Ｎｏｉｓｅ  Ｒａｔｉｏ）の改善、波長分散および偏波モード分散に対する耐力の改善が必要とされている。そのため、伝送速度１００Gｂ／ｓを実現する超高速光伝送システムには、偏波多重光信号をデジタルコヒーレント方式により復調する方式が有力であると考えられている。ここで偏波多重光信号としては例えば、それぞれ４相位相変調（ＱＰＳＫ：Ｑｕａｄｒａｔｕｒｅ−Ｐｈａｓｅ−Ｓｈｉｆｔ−Ｋｅｙｉｎｇ）された垂直偏波と水平偏波の光信号を多重した光信号を用いることができる。
【０００３】
このような偏波多重光信号を用いた光伝送システムの一例が特許文献１に記載されている。特許文献１に記載の偏波多重光伝送システムにおいては、偏波多重光送信器と偏波多重光受信器との間で認識可能な所定のパイロット信号を用いて、搬送波となる光の波長、伝送タイミングおよび強度のうちの少なくともいずれか一つを変調する。そして偏波多重光受信器において、分離された偏波成分から所定のパイロット信号の成分を抽出させ、この成分の強度が最大または最小になるように偏波状態を制御することによって偏波多重信号を分離することとしている。
【先行技術文献】
【特許文献】
【０００４】
【特許文献１】特開２００８−２６３５９０号公報（段落「００２０」〜「００４９」）
【発明の概要】
【発明が解決しようとする課題】
【０００５】
上述した関連する偏波多重光伝送システムにおいては、送信側の装置で垂直偏波と水平偏波の光信号の位相を揃えて多重し、受信側に送出したとしても、光伝送路の偏波モード分散等により垂直偏波光信号と水平偏波光信号との間に遅延差が生じる。そのため、受信側の装置で元の１００Gｂ／ｓの信号を再生するためには、これらの偏波光信号間の遅延差を取り除く必要があった。
【０００６】
このように、関連する偏波多重光伝送システムにおいては、偏波多重信号を受信して各偏波光信号に分離すると、これらの偏波光信号間に遅延差が生じるので、超高速光信号を再生するのは困難であるという問題があった。
【０００７】
本発明の目的は、上述した課題である、偏波多重光伝送システムにおいては、偏波多重信号を受信して各偏波光信号に分離すると、これらの偏波光信号間に遅延差が生じるので、超高速光信号を再生するのは困難である、という課題を解決する偏波多重光伝送システム、偏波多重光受信器、および偏波多重光伝送方法を提供することにある。
【課題を解決するための手段】
【０００８】
本発明の偏波多重光伝送システムは、偏波多重光送信器と、偏波多重光受信器と、偏波多重光送信器と偏波多重光受信器を接続する光伝送路を有し、偏波多重光送信器は、第１の入力信号と第２の入力信号に第１の入力信号と第２の入力信号を識別する識別子を付与する識別子付与部と、第１の入力信号によって第１の偏波光を変調して第１の偏波送信光を出力し、第２の入力信号によって第２の偏波光を変調して第２の偏波送信光を出力する変調器部と、第１の偏波送信光と第２の偏波送信光を多重して偏波多重光を光伝送路に送出する偏波多重部とを備え、偏波多重光受信器は、光伝送路を介して受信した偏波多重光を第１の偏波受信光と第２の偏波受信光に分離する偏波分離部と、第１の偏波受信光と第２の偏波受信光を電気信号に変換し第１の受信信号と第２の受信信号を出力する光電変換部と、第１の受信信号と第２の受信信号についてシンボル識別を行い、第１の復調信号と第２の復調信号を出力する復調部と、第１の復調信号と第２の復調信号から識別子を検出する識別子検出部と、識別子に基づいて第１の復調信号と第２の復調信号との間の遅延差を算出し、遅延差に対応した遅延時間を第１の復調信号または第２の復調信号に挿入する遅延補償部とを備える。
【０００９】
本発明の偏波多重光受信器は、入力信号を識別する識別子を備えた第１の入力信号と第２の入力信号によってそれぞれ変調された第１の偏波送信光と第２の偏波送信光が多重された偏波多重光を受信し、偏波多重光を第１の偏波受信光と第２の偏波受信光に分離する偏波分離部と、第１の偏波受信光と第２の偏波受信光を電気信号に変換し第１の受信信号と第２の受信信号を出力する光電変換部と、第１の受信信号と第２の受信信号についてシンボル識別を行い、第１の復調信号と第２の復調信号を出力する復調部と、第１の復調信号と第２の復調信号から識別子を検出する識別子検出部と、識別子に基づいて第１の復調信号と第２の復調信号との間の遅延差を算出し、遅延差に対応した遅延時間を第１の復調信号または第２の復調信号に挿入する遅延補償部とを備える。
【００１０】
本発明の偏波多重光伝送方法は、第１の入力信号と第２の入力信号に第１の入力信号と第２の入力信号を識別する識別子を付与し、第１の入力信号によって第１の偏波光を変調して第１の偏波送信光とし、第２の入力信号によって第２の偏波光を変調して第２の偏波送信光とし、第１の偏波送信光と第２の偏波送信光を多重して偏波多重光とし、偏波多重光を第１の偏波受信光と第２の偏波受信光に分離し、第１の偏波受信光と第２の偏波受信光を電気信号に変換して第１の受信信号と第２の受信信号とし、第１の受信信号と第２の受信信号についてシンボル識別を行い、第１の復調信号と第２の復調信号を作成し、第１の復調信号と第２の復調信号から識別子を検出し、識別子に基づいて第１の復調信号と第２の復調信号との間の遅延差を算出し、遅延差に対応した遅延時間を第１の復調信号または第２の復調信号に挿入する。
【発明の効果】
【００１１】
本発明の偏波多重光伝送システム、偏波多重光受信器、および偏波多重光伝送方法によれば、偏波多重された超高速光信号の再生が可能となる。
【図面の簡単な説明】
【００１２】
【図１】本発明の第１の実施形態に係る偏波多重光伝送システムの構成を示すブロック図である。
【図２】本発明の第１の実施形態に係る偏波多重光伝送システムの具体的な構成例を示すブロック図である。
【図３】本発明の第１の実施形態に係る偏波多重光伝送システムの動作を説明するためのタイムチャートである。
【図４】本発明の第２の実施形態に係る偏波多重光伝送システムの構成を示すブロック図である。
【発明を実施するための形態】
【００１３】
以下に、図面を参照しながら、本発明の実施形態について説明する。
【００１４】
〔第１の実施形態〕
図１は、本発明の第１の実施形態に係る偏波多重光伝送システム１０００の構成を示すブロック図である。偏波多重光伝送システム１０００は、偏波多重光送信器１００と、偏波多重光受信器２００を有し、両者は光伝送路３００を介して接続されている。
【００１５】
偏波多重光送信器１００は、識別子付与部１１０、変調器部１２０、および偏波多重部１３０を備える。識別子付与部１１０は、第１の入力信号と第２の入力信号に第１の入力信号と第２の入力信号を識別する識別子を付与する。変調器部１２０は、第１の入力信号によって第１の偏波光を変調して第１の偏波送信光を出力し、第２の入力信号によって第２の偏波光を変調して第２の偏波送信光を出力する。偏波多重部１３０は、第１の偏波送信光と第２の偏波送信光を多重して偏波多重光を光伝送路３００に送出する。ここで、第１の偏波送信光と第２の偏波送信光は互いに直交する。
【００１６】
偏波多重光受信器２００は、偏波分離部２１０、光電変換部２２０、復調部２３０、識別子検出部２４０、および遅延補償部２５０を備える。偏波分離部２１０は、光伝送路３００を通して受信した偏波多重光を第１の偏波受信光と第２の偏波受信光に分離する。光電変換部２２０は、第１の偏波受信光と第２の偏波受信光を電気信号に変換し第１の受信信号と第２の受信信号を出力する。復調部２３０は、第１の受信信号と第２の受信信号についてシンボル識別を行い、第１の復調信号と第２の復調信号を出力する。識別子検出部２４０は、第１の復調信号と第２の復調信号から識別子を検出する。遅延補償部２５０は、識別子に基づいて第１の復調信号と第２の復調信号との間の遅延差を算出し、遅延差に対応した遅延時間を第１の復調信号または第２の復調信号に挿入する。
【００１７】
本実施形態の偏波多重光伝送システム１０００によれば、偏波モード分散等により生じる偏波光信号間の遅延差を検出することができ、この遅延差を解消することによって偏波多重された超高速光信号の再生が可能となる。
【００１８】
次に、本実施形態の偏波多重光伝送システム１０００について、さらに詳細に説明する。図２は、本発明の第１の実施形態に係る偏波多重光伝送システム１０００の具体的な構成例を示すブロック図である。ここでは、第１の入力信号と第２の入力信号として、ＩＴＵ−Ｔ（国際電気通信連合電気通信標準化部門、Ｉｎｔｅｒｎａｔｉｏｎａｌ  Ｔｅｌｅｃｏｍｍｕｎｉｃａｔｉｏｎｓ  Ｕｎｉｏｎ  −  Ｔｅｌｅｃｏｍｍｕｎｉｃａｔｉｏｎｓ）で規格化された１００Ｇｂ／ｓ級の超高速信号であるＯＴＵ４（Ｏｐｔｉｃａｌ−ｃｈａｎｎｅｌ  Ｔｒａｎｓｐｏｒｔ  Ｕｎｉｔ  ４）信号を用いることとした。このＯＴＵ４信号を、偏波多重ＱＰＳＫ変調方式で伝送する場合について以下に説明する。
【００１９】
まず、偏波多重光送信器１００の具体的構成例について説明する。ＯＴＵ４フレーマ部（ＯＴＵ４  Ｆｒａｍｅｒ）１０１では、１００ＧｂＥ信号等のクライアント信号に対して誤り訂正信号を付加したＯＴＵ４信号を生成する。なお、ＯＴＵ４フレーマ部１０１はＦＥＣ（Ｆｏｒｗａｒｄ  Ｅｒｒｏｒ  Ｃｏｒｒｅｃｔｉｏｎ：前方誤り訂正）符号化部（ＦＥＣ  Ｃｏｄｅｒ）とも言う。識別子付与部１１０は生成されたＯＴＵ４信号に識別子を付与する。このとき、第１の偏波光としての垂直偏波光を変調する第１の入力信号と、第２の偏波光としての水平偏波光を変調する第２の入力信号に対して、互いに異なる値をもつ識別子を付与する。
【００２０】
ＱＰＳＫ変調部（ＱＰＳＫ  ＭＯＤ）１２２は、送信光源１２１から出力されるＣＷ（Ｃｏｎｔｉｎｕｏｕｓ  Ｗａｖｅ、連続波）光に対して、第１の入力信号および第２の入力信号によってそれぞれＱＰＳＫ変調を行う。ＱＰＳＫ変調は各偏波毎に独立に行い、第１の入力信号によって変調された第１の偏波送信光としての垂直偏波送信光と、第２の入力信号によって変調された第２の偏波送信光としての水平偏波送信光が得られる。ここで、送信光源１２１とＱＰＳＫ変調部１２２が変調器部１２０を構成する。垂直偏波送信光と水平偏波送信光は直交しており、偏波多重部１３０としての偏光ビーム結合部（ＰＢＣ）１３１において偏波多重され、光伝送路３００へ送出される。
【００２１】
次に、偏波多重光受信器２００の具体的構成例について説明する。偏波多重光受信器２００ではデジタルコヒーレント受信方式により偏波分離を行い、垂直偏波受信光と水平偏波受信光から信号を取り出すことによりＯＴＵ４信号を復元する構成とした。
【００２２】
偏波分離部２１０としての偏光ビームスプリッタ部（ＰＢＳ）２１１は、光伝送路３００を介して受信した偏波多重光を互いに直交した第１の偏波受信光としての垂直偏波受信光と第２の偏波受信光としての水平偏波受信光に分離する。このとき分離された各偏波受信光は、偏波モード分散等により送信時の垂直偏波送信光と水平偏波送信光が結合されている。分離した２本の偏波受信光は９０°ハイブリッド部（９０°Ｈｙｂｒｉｄ）２２２において局部光源２２１が出力するローカル光とそれぞれ干渉し、受信した偏波受信光毎に主信号光の位相情報を含んだ光複素振幅信号が得られる。これらの位相情報を含んだ光信号は受光素子部２２３において電気信号に変換される。ここで、局部光源２２１と９０°ハイブリッド部２２２と受光素子部２２３が光電変換部２２０を構成する。
【００２３】
アナログ−デジタル変換部（ＡＤＣ）２３１は受光素子部２２３の出力信号をデジタル信号に変換し、数値化された光複素振幅情報を得る。受信した信号は一般的には、送信側の垂直偏波信号と送信側の水平偏波信号が結合された状態にある。そのためデジタル信号処理部（ＤＳＰ）２３２は、クロック抽出を行った後、ＣＭＡ（Ｃｏｎｓｔａｎｔ  Ｍｏｄｕｌｕｓ  Ａｌｇｏｒｉｔｈｍ）アルゴリズムを用いたデジタル信号処理により送信側の偏波毎に分離する処理を行う。デジタル信号処理部２３２はさらに、偏波分離されたそれぞれの複素振幅からＱＰＳＫ変調の場合の４値の光位相情報の識別を行う。すなわち、偏波毎に同相（Ｉｎ−Ｐｈａｓｅ）情報と直交位相（Ｑｕａｄｒａｔｕｒｅ−Ｐｈａｓｅ）情報の２値化を行い、シンボル識別を行う。ここで、アナログ−デジタル変換部２３１とデジタル信号処理部２３２が復調部２３０を構成する。
【００２４】
識別子検出部２４０は、偏波毎にシンボル識別された情報である第１の復調信号と第２の復調信号から識別子を検出し、識別子の値に基づいて、受信した偏波光が送信側の各偏波光のいずれに対応するかを決定する。続いて遅延補償部２５０は、識別子が到着した時間差に応じて各受信偏波の復調信号に対して遅延を与え、偏波光信号間の遅延差（以下、「偏波間スキュー差」と言う）を解消する。このとき、偏波モード分散等によって生じる遅延は時間的に変動することが一般的に知られているので、遅延補償部２５０は偏波間スキュー差の最大保証値に対応する値以上の遅延を付与できることが望ましい。ＯＴＵ４フレーマ部（ＯＴＵ４  Ｆｒａｍｅｒ）２０１は各復調信号について誤り訂正を行い、クライアント信号を再生する。なお、ＯＴＵ４フレーマ部２０１はＦＥＣ復号化部（ＦＥＣ  Ｄｅｃｏｄｅｒ）とも言う。
【００２５】
以上説明したように、本実施形態の偏波多重光伝送システム１０００は、送信側において、垂直偏波送信光と水平偏波送信光を識別可能とする識別子を付与する識別子付与部１１０を備えることを特徴とする。また受信側において、デジタル信号処理部２３２によるシンボル識別後に復調信号から識別子を検出する識別子検出部２４０と、検出した識別子に基づいて偏波間スキュー差を解消する遅延補償部２５０を備えることを特徴とする。
【００２６】
次に、本実施形態による偏波多重光伝送システム１０００の動作について説明する。図３は、偏波多重光伝送システム１０００の動作を説明するためのタイムチャートである。図３（ａ）に、送信側におけるX軸偏波の送信データＴＸおよびＹ軸偏波の送信データＴＹのタイムチャートを示す。図３（ｂ）は受信側におけるデジタル信号処理部による偏波分離後の受信データＤＸ’、ＤＹ’のタイムチャートである。図３（ｃ）は偏波多重光受信器が出力する受信データＲＸ’、ＲＹ’のタイムチャートである。
【００２７】
図３では、X軸偏波の識別子（ＸＩＤ）の値としてデータ「０ｘ００」を、Ｙ軸偏波の識別子（ＹＩＤ）の値としてデータ「０ｘ０１」を用いた場合を示す。識別子のタイムスロット位置を特定するために、本実施形態では同期オーバヘッドとしてＯＴＮ（Ｏｐｔｉｃａｌ  Ｔｒａｎｓｐｏｒｔ  Ｎｅｔｗｏｒｋ）等で知られているＯＡ１（０ｘＦ６）とＯＡ２（０ｘ２８）を使用した。
【００２８】
図３（ａ）に示したように、送信側ではX軸偏波データとＹ軸偏波データを同時に送出する。送信データが光伝送路を伝播すると、偏波モード分散等により各偏波のデータは遅延差Ｔｄを伴って受信側に到着する。このときの様子を図３（ｂ）に示す。ここでは、受信側の偏波X’のデータが受信側の偏波Ｙ’のデータに対して３シンボル進んでおり、送信側のX軸偏波とＹ軸偏波が入れ替わって受信側に到着した例を示す。識別子検出部２４０においては、一般的なフレーム同期処理手段を用いることによって識別子の挿入位置を認識することができ、さらに識別子の到着時間差から受信側の各偏波データ間の遅延差を算出することができる。遅延補償部２５０では、このときの遅延差に基づいて各受信データに遅延を与え偏波間スキュー差を解消する（図３（ｃ））。このとき、偏波モード分散等によって生じる遅延は時間的に変動することが一般的に知られているので、遅延補償部２５０は偏波間スキュー差の最大保証値分以上の遅延を与えられることが望ましい。
【００２９】
以上説明したように、本実施形態による偏波多重光伝送システム１０００によれば、偏波モード分散等により、偏波多重された各光信号間に偏波間スキュー差が生じる場合であっても、受信側において偏波間スキュー差を解消することができる。そのため、偏波多重された超高速光信号の再生が可能となる。
【００３０】
本実施形態においては、識別子としてデータ値を新たに定義して用いたが、これに限らない。例えば、ＩＴＵ−Ｔで規格化されているＯＴＮ信号である場合には、マルチフレーム同期用であるＭＦＡＳ（Ｍｕｌｔｉ  Ｆｒａｍｅ  Ａｌｉｇｎｍｅｎｔ  Ｓｉｇｎａｌ）信号を、またはマルチレーン対応であるＯＴＬ信号のＬＬＭバイトを識別子として用いることができる。
【００３１】
〔第２の実施形態〕
次に、本発明の第２の実施形態について説明する。図４は、本発明の第２の実施形態による偏波多重光伝送システム２０００の構成を示すブロック図である。偏波多重光伝送システム２０００は、偏波多重光送信器１００と、偏波多重光受信器４００を有し、両者は光伝送路３００を介して接続されている。偏波多重光伝送システム２０００は偏波多重光受信器４００の構成が第１の実施形態の偏波多重光受信器２００と異なり、他の構成は第１の実施形態と同様であるので説明を省略する。
【００３２】
図４に示すように、偏波多重光受信器４００は、第１の実施形態の偏波多重光受信器２００の構成にさらに信号変換部４１０を備える。信号変換部４１０は、識別子検出部２４０が検出した識別子に基づいて、第１の復調信号および第２の復調信号を、第１の入力信号および第２の入力信号とそれぞれ対応させる。
【００３３】
すなわち、信号変換部４１０は検出した識別子の値から、第１の偏波送信光および第２の偏波送信光と、第１の偏波受信光および第２の偏波受信光との対応関係を判別する。その結果、送信側と受信側との間で、第１の偏波と第２の偏波が入れ替わっている場合には、信号変換部４１０は第１の復調信号を第２の入力信号に対応させ、第２の復調信号を第１の入力信号に対応させる処理を行う。このときの様子を図３の（ｂ）および（ｃ）に示す。
【００３４】
このように、本実施形態による偏波多重光伝送システム２０００によれば、送信側における第１の偏波送信光および第２の偏波送信光と、受信側における第１の偏波受信光および第２の偏波受信光との関係を、対応付けたうえで復調信号を出力することができる。その結果、このような送受信間における信号光の偏波の対応付けを図る処理を別途行う必要がないため、装置の簡素化を図ることができる。
【００３５】
上述の実施形態では、偏波多重される２系統の信号の変調方式として、ＱＰＳＫ変調方式を用いることとした。しかし、これに限らず、８ＰＳＫ（８位相偏移変調：８−Ｐｈａｓｅ  Ｓｈｉｆｔ  Ｋｅｙｉｎｇ）変調方式、１６ＱＡＭ（直交振幅変調：Ｑｕａｄｒａｔｕｒｅ  Ａｍｐｌｉｔｕｄｅ  Ｍｏｄｕｌａｔｉｏｎ）変調方式など、他の多値変調方式であっても用いることができる。
【００３６】
本発明は上記実施形態に限定されることなく、特許請求の範囲に記載した発明の範囲内で、種々の変形が可能であり、それらも本発明の範囲内に含まれるものであることはいうまでもない。
【符号の説明】
【００３７】
１０００、２０００    偏波多重光伝送システム
１００    偏波多重光送信器
１０１    ＯＴＵ４フレーマ部（ＦＥＣ符号化部）
１１０    識別子付与部
１２０    変調器部
１２１    送信光源
１２２    ＱＰＳＫ変調部
１３０    偏波多重部
１３１    偏光ビーム結合部
２０１    ＯＴＵ４フレーマ部（ＦＥＣ復号化部）
２００、４００    偏波多重光受信器
２１０    偏波分離部
２１１    偏光ビームスプリッタ部
２２０    光電変換部
２２１    局部光源
２２２    ９０°ハイブリッド部
２２３    受光素子部
２３０    復調部
２３１    アナログ−デジタル変換部
２３２    デジタル信号処理部
２４０    識別子検出部
２５０    遅延補償部
３００    光伝送路
４１０    信号変換部
【図１】
2012010070.tif 000003
【図２】
2012010070.tif 000004
【図３】
2012010070.tif 000005
【図４】
2012010070.tif 000006